(57)【要約】【課題】ジッパーを利用して上下分離される特徴を利用して、一足で多様な色相とデザインを提供できる運動靴を提供すること。【解決手段】本考案のファッションジッパー分離型運動靴１は、運動靴を靴底３と上部の胴体２とに分離し、靴底３と上部の胴体２とをジッパー４、５で連結することで、上部の胴体２を自由に交換できることを特徴とする。これにより、運動靴の上部の胴体２と靴底３とを簡単に分離でき、胴体２の部分は多様なデザインと色相で別途に製作して、１つの靴底３に対して多様な胴体２を連結することができる。よって、一足の運動靴で多数の運動靴の効果を出すことができるとともに、分離できる特徴により洗濯が容易で、長時間保管時に胴体２と靴底３を分離して保管することで臭いと湿気を防止できる。【選択図】図１
0003131405.tif 000002
【実用新案登録請求の範囲】
【請求項１】
運動靴を靴底と上部の胴体とに分離し、前記靴底と前記上部の胴体とをジッパーで連結することで、前記上部の胴体を自由に交換できることを特徴とする、ファッションジッパー分離型運動靴。
【考案の詳細な説明】
【技術分野】
【０００１】
本考案は、運動靴を靴底と上部の胴体とに分離してジッパーで連結することで、上部の胴体を自由に交換できるファッションジッパー分離型運動靴に関する。
【背景技術】
【０００２】
一般的に、既存の運動靴は、一足の運動靴で同じデザインと色相のまま、古くなるまで履くものであり、また、長期間使用する場合には、洗濯が容易でなく、臭いと湿気によって着用する上で不潔となり、また、一足の運動靴では様々な色のファッションコーディネートが不可能であり、様々な色の履物を高い費用をかけて購入しなければならないという負担がある。
【考案の開示】
【考案が解決しようとする課題】
【０００３】
そこで、本考案は、上記問題に鑑みてなされたものであり、本考案の目的とするところは、運動靴の上部の胴体を自由に交換することが可能な、新規かつ改良されたファッションジッパー分離型運動靴を提供することにある。
【課題を解決するための手段】
【０００４】
上記課題を解決するために、本考案のある観点によれば、運動靴を靴底と上部の胴体とに分離し、前記靴底と前記上部の胴体とをジッパーで連結することで、前記上部の胴体を自由に交換できることを特徴とする、ファッションジッパー分離型運動靴が提供される。
【０００５】
かかる構成のファッションジッパー分離型運動靴は、上記のような従来の運動靴の短所を解決し、履物の上の部分である胴体と、下の部分である靴底とを、別々に製作して、上部の胴体の靴底とをジッパーで相互に連結することによって、運動靴の上部の胴体を自由に交換することが可能となる。
【考案の効果】
【０００６】
以上説明したように本考案によれば、運動靴の上部の胴体を自由に交換することが可能となる。このため、服装に合わせて履物の上の部分である胴体を変えて使用でき、胴体の部分だけ別途に購入できる長所があるので、履物を購入する費用の負担を減らすことができる。また、長時間保管する場合、ジッパーを利用して、分離した後に保管することによって、臭いと湿気を防止できて、分離後に洗濯することで洗濯効果が優れる。
【考案を実施するための最良の形態】
【０００７】
以下に添付図面を参照しながら、本考案の好適な実施の形態について詳細に説明する。なお、本明細書及び図面において、実質的に同一の機能構成を有する構成要素については、同一の符号を付することにより重複説明を省略する。
【０００８】
本考案の一実施形態にかかるファッションジッパー分離型運動靴について説明する。本実施形態にかかるファッションジッパー分離型運動靴は、既存の運動靴が有する短所を補完するために考案されたもので、運動靴（履物）の胴体と靴底を分離して、ジッパーで連結し、運動靴の上の部分である胴体は色相々な色相とデザインで別途に製作して、衣装に合わせて交換して用いることができる。そのため、一足の履物の購入費用で多数の履物を購入できる効果がある。また、胴体と靴底を分離して保管すれば、履物の特有の臭いと湿気を防止できるとともに、洗濯が容易である。
【０００９】
図１は、本実施形態にかかるファッションジッパー分離型運動靴１が完全に分離した状態を示す平面図である。
【００１０】
図１に示すように、本実施形態にかかるファッションジッパー分離型運動靴１は、上部の胴体２の部分と、下部の靴底３の部分とを、分離可能に構成されている。図示の例では、上部の胴体２は、例えば、足の両側面から上部までを覆う両側面部と、足のかかとを覆う後部と、靴ひもとを含み、一方、靴底３は、例えば、地面に接触する底部（ソール）と、足のつま先を覆うつま先部と、足の甲を覆うべら部とを含んでいるが、かかる例に限定されない。上部の胴体２と靴底３との連結部分にはジッパー４、５がそれぞれ設けられている。詳細には、上部の胴体２の下部側の外縁部には、当該外縁部に沿ってジッパー４が設置されており、一方、靴底３の上部側の外縁部には、当該外縁部に沿ってジッパー５が設置されている。このジッパー４とジッパー５は、略同一の長さを有している。ジッパー４とジッパー５に係合するジッパー用のファスナーを開け閉めすることで、ジッパー４とジッパー５とを相互に連結／分離することができる。
【００１１】
このようなファッションジッパー分離型運動靴１では、ジッパー４、５を外すことで、上部の胴体２の部分と、下部の靴底３の部分とを分離することができる。上部の胴体２については、多様な色相とデザインで多数の種類のものを製作して、１つの靴底３に対して、色やデザインが多様な複数種類の上部の胴体２を連結することができる。
【００１２】
従って、時と場所、そして多様な形態の衣装に合わせて、上部の胴体２を簡単かつ自由に交換することができる。また、図１に示したように上部の胴体２と靴底３を完全に分離することで、洗濯時に既存の運動靴より洗濯が容易であり、また、長時間保管する時には、分離状態で保管すれば、靴内部に臭いと湿気がこもることを防止できる。
【００１３】
図２は、本実施形態にかかる運動靴１において、ジッパー４、５を用いて上部の胴体２と靴底３とを連結し始める状態を示す平面図である。図示の例に限られず、運動靴１の形態に応じた多様な形態のジッパーで、上部の胴体２と靴底３とを連結・固定することが可能である。
【００１４】
図３、図４は、本実施形態にかかる運動靴１において、上部の胴体２と靴底３とが完全に連結された状態を示す平面図、側面図である。図３、図４に示すように、運動靴１は、上部の胴体２と靴底３とがジッパー４、５で完全に連結されて、完全な履物形態となっており、ユーザは、かかる運動靴１を不自由なく着用できる。
【００１５】
以上説明したように、本実施形態にかかるファッションジッパー分離型運動靴１は、ジッパー４、５を利用して上部の胴体２と靴底３とを分離して、上部の胴体２を自由に交換できるという新概念の運動靴である。このため、一足の運動靴で多様な色相とデザインを与えることができ、一足の運動靴１を所有することで多数の運動靴を所有しているかのような効果を奏することができ、服装に合わせて上部の胴体２を自由に交換して使用できる。また、上記の上部の胴体２と靴底３とを分離できる特徴により、洗濯し易くて、長期保管時に分離して保管できることにより、臭いと湿気の防止効果が優れており、長期間旅行にも携帯が簡便であるという長所がある。
【００１６】
以上、添付図面を参照しながら本考案の好適な実施形態について説明したが、本考案は係る例に限定されないことは言うまでもない。当業者であれば、実用新案登録請求の範囲に記載された範疇内において、各種の変更例または修正例に想到し得ることは明らかであり、それらについても当然に本考案の技術的範囲に属するものと了解される。
【図面の簡単な説明】
【００１７】
【図１】本考案の一実施形態にかかるファッションジッパー分離型運動靴において、上部の胴体と靴底とが完全に分離された状態を示す平面図である。
【図２】同実施形態にかかるファッションジッパー運動靴において、上部の胴体と靴底とを連結し始める状態を示す平面図である。
【図３】本実施形態にかかるファッションジッパー運動靴において、上部の胴体と靴底とが完全に連結された状態を示す平面図である。
【図４】本実施形態にかかるファッションジッパー運動靴において、上部の胴体と靴底とが完全に連結された状態を示す側面図である。
【符号の説明】
【００１８】
１    ファッションジッパー分離型運動靴
２    上部の胴体
３    靴底
４、５    ジッパー
【図１】
0003131405.tif 000003
【図２】
0003131405.tif 000004
【図３】
0003131405.tif 000005
【図４】
0003131405.tif 000006